【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
電気光学装置において、
複数の走査線と、
複数のデータ線と、
前記走査線と前記複数のデータ線との交差に対応して配置された複数の画素と、
前記走査線に走査信号を出力することにより、データの書込対象となる画素に対応する前記走査線を選択する走査線駆動回路と、
前記走査線駆動回路と協働し、前記書込対象となる画素に対応する前記データ線にデータを出力するデータ線駆動回路とを有し、
前記画素のそれぞれは、
駆動電流に応じた輝度で発光する電気光学素子と、
前記データ線を介して供給されたデータを保持する保持手段と、
前記保持手段で保持されたデータに応じて、前記電気光学素子に供給する駆動電流を設定する駆動素子と、
前記書込対象となる画素に対応する前記走査線が選択されてから、当該走査線が次に選択されるまでの期間において、前記駆動電流の電流経路の遮断を繰り返す制御素子と
を有することを特徴とする電気光学装置。
【請求項２】
電気光学装置において、
複数の走査線と、
複数のデータ線と、
前記走査線と前記データ線との交差に対応して配置された複数の画素と、
前記走査線に走査信号を出力することにより、データの書込対象となる画素に対応する前記走査線を選択する走査線駆動回路と、
前記走査線駆動回路と協働し、前記書込対象となる画素に対応する前記データ線にデータを出力するデータ線駆動回路とを有し、
前記画素のそれぞれは、
駆動電流に応じた輝度で発光する電気光学素子と、
前記データ線を介して供給されたデータに応じた電荷を蓄積することにより、データの書き込みが行われるキャパシタと、
前記キャパシタに蓄積された電荷に応じて、駆動電流を設定し、当該駆動電流を前記電気光学素子に供給する駆動トランジスタと、
前記書込対象となる画素に対応する前記走査線が選択されてから、当該走査線が次に選択されるまでの期間において、前記駆動電流の電流経路の遮断を繰り返す制御トランジスタと
を有することを特徴とする電気光学装置。
【請求項３】
前記データ線駆動回路は、前記データ線に対して、データ電流としてデータを出力し、
前記画素のそれぞれは、プログラミングトランジスタをさらに有し、
前記プログラミングトランジスタは、自己のチャネルに前記データ電流が流れることにより発生するゲート電圧に基づいて、前記キャパシタに対するデータの書き込みを行うことを特徴とする請求項２に記載された電気光学装置。
【請求項４】
前記データ線駆動回路は、前記データ線に対して、データ電圧としてデータを出力し、
前記キャパシタに対するデータの書き込みは、前記データ電圧に基づいて行われることを特徴とする請求項２に記載された電気光学装置。
【請求項５】
前記制御トランジスタは、前記走査線駆動回路より出力されるパルス信号によって導通制御され、
前記走査線駆動回路は、前記書込対象となる画素に供給する前記走査信号と同期して、当該書込対象となる画素に供給する前記パルス信号を、高レベルと低レベルとが交互に繰り返されるパルス状にすることを特徴とする請求項２から４のいずれかに記載された電気光学装置。
【請求項６】
電気光学装置において、
複数の走査線と、
複数のデータ線と、
前記走査線と前記データ線との交差に対応して配置された複数の画素と、
前記走査線に第１の走査信号を出力することにより、データの書込対象となる画素に対応する前記走査線を選択するとともに、前記第１の走査信号と同期した第２の走査信号と、前記第１の走査信号と同期したパルス信号とを出力する走査線駆動回路と、
前記走査線駆動回路と協働し、前記書込対象となる画素に対応する前記データ線にデータ電流を出力するデータ線駆動回路とを有し、
前記画素のそれぞれは、
ソースまたはドレインの一方の端子が前記データ線に接続され、前記第１の走査信号によって制御される第１のスイッチングトランジスタと、
ソースまたはドレインの一方の端子が前記第１のスイッチングトランジスタの他方の端子に接続され、前記第２の走査信号によって制御される第２のスイッチングトランジスタと、
前記第２のスイッチングトランジスタの他方の端子に接続されたキャパシタと、
ドレインが前記第１のスイッチングトランジスタの前記他方の端子と前記第２のスイッチングトランジスタの前記一方の端子とに共通接続され、ゲートが前記第２のスイッチングトランジスタの他方の端子と前記キャパシタとに共通接続され、前記データ電流に応じた電荷を自己のゲートに接続された前記キャパシタに蓄積させるプログラミングトランジスタと、
前記プログラミングトランジスタと対になってカレントミラー回路を構成し、ゲートに接続された前記キャパシタに蓄積された電荷に応じて、駆動電流を設定する駆動トランジスタと、
前記駆動電流に応じた輝度で発光する電気光学素子と、
前記駆動電流の電流経路中に設けられ、前記パルス信号の導通制御によって、前記駆動電流の電流経路を遮断する制御トランジスタと
を有することを特徴とする電気光学装置。
【請求項７】
前記制御トランジスタは、前記書込対象となる画素に対応する前記走査線が選択されてから、当該走査線が次に選択されるまでの期間において、前記駆動電流の電流経路の遮断を繰り返すことを特徴とする請求項６に記載された電気光学装置。
【請求項８】
前記制御トランジスタは、前記書込対象となる画素に対応する前記走査線が選択されてから、当該走査線が次に選択されるまでの期間のうち、プログラミング期間において、前記駆動電流の電流経路を遮断し続けるとともに、前記プログラミング期間に続く駆動期間において、前記駆動電流の電流経路の遮断を繰り返すことを特徴とする請求項７に記載された電気光学装置。
【請求項９】
前記制御トランジスタは、前記書込対象となる画素に対応する前記走査線が選択されてから、当該走査線が次に選択されるまでの期間のうち、プログラミング期間において、前記駆動電流の電流経路を遮断し、前記プログラミング期間に続く駆動期間において、前記駆動電流の電流経路を遮断しないことを特徴とする請求項６に記載された電気光学装置。
【請求項１０】
電気光学装置において、
複数の走査線と、
複数のデータ線と、
前記走査線と前記データ線との交差に対応して配置された複数の画素と、
前記走査線に走査信号を出力することにより、データの書込対象となる画素に対応する前記走査線を選択するとともに、前記走査信号と同期したパルス信号を出力する走査線駆動回路と、
前記走査線駆動回路と協働し、前記書込対象となる画素に対応する前記データ線にデータ電流を出力するデータ線駆動回路とを有し、
前記画素のそれぞれは、
ソースまたはドレインの一方の端子が前記データ線に接続され、前記走査信号によって制御される第１のスイッチングトランジスタと、
前記走査信号によって制御される第２のスイッチングトランジスタと、
前記第１のスイッチングトランジスタの他方の端子と前記第２のスイッチングトランジスタの一方の端子との間に接続されたキャパシタと、
ソースが前記第１のスイッチングトランジスタの前記他方の端子に接続され、ゲートが前記第２のスイッチングトランジスタの前記一方の端子に接続され、ドレインが前記第２のスイッチングトランジスタの他方の端子に接続され、前記データ電流に応じた電荷を自己のゲートと自己のソースとの間に接続された前記キャパシタに蓄積させるとともに、前記キャパシタに蓄積された電荷に応じて、駆動電流を設定する駆動トランジスタと、
前記駆動電流に応じた輝度で発光する電気光学素子と、
前記書込対象となる画素に対応する前記走査線が選択されてから、当該走査線が次に選択されるまでの期間において、前記パルス信号の導通制御によって、前記駆動電流の電流経路の遮断を繰り返す制御トランジスタと
を有することを特徴とする電気光学装置。
【請求項１１】
前記制御トランジスタは、前記書込対象となる画素に対応する前記走査線が選択されてから、当該走査線が次に選択されるまでの期間のうち、プログラミング期間において、前記駆動電流の電流経路を遮断し続けるとともに、前記プログラミング期間に続く駆動期間において、前記駆動電流の電流経路の遮断を繰り返すことを特徴とする請求項１０に記載された電気光学装置。
【請求項１２】
電気光学装置において、
複数の走査線と、
複数のデータ線と、
前記走査線と前記データ線との交差に対応して配置された複数の画素と、
前記走査線に走査信号を出力することにより、データの書込対象となる画素に対応する前記走査線を選択するとともに、前記走査信号と同期したパルス信号を出力する走査線駆動回路と、
前記走査線駆動回路と協働し、前記書込対象となる画素に対応する前記データ線にデータ電流を出力するデータ線駆動回路とを有し、
前記画素のそれぞれは、
ソースまたはドレインの一方の端子が前記データ線に接続され、前記走査信号によって制御される第１のスイッチングトランジスタと、
ソースまたはドレインの一方の端子が前記第１のスイッチングトランジスタの他方の端子に接続され、前記走査信号によって制御される第２のスイッチングトランジスタと、
前記第２のスイッチングトランジスタの他方の端子に接続されたキャパシタと、
ゲートが前記第２のスイッチングトランジスタの前記他方の端子と前記キャパシタとに共通接続され、ドレインが前記第１のスイッチングトランジスタの前記他方の端子と前記第２のスイッチングトランジスタの前記一方の端子とに共通接続され、前記データ電流に応じた電荷を自己のゲートに接続された前記キャパシタに蓄積させるとともに、前記キャパシタに蓄積された電荷に応じて、駆動電流を設定する駆動トランジスタと、
前記駆動電流に応じた輝度で発光する電気光学素子と、
前記書込対象となる画素に対応する前記走査線が選択されてから、当該走査線が次に選択されるまでの期間において、前記パルス信号の導通制御によって、前記駆動電流の電流経路の遮断を繰り返す制御トランジスタと
を有することを特徴とする電気光学装置。
【請求項１３】
前記制御トランジスタは、前記書込対象となる画素に対応する前記走査線が選択されてから、当該走査線が次に選択されるまでの期間のうち、プログラミング期間において、前記駆動電流の電流経路を遮断し続けるとともに、前記プログラミング期間に続く駆動期間において、前記駆動電流の電流経路の遮断を繰り返すことを特徴とする請求項１２に記載された電気光学装置。
【請求項１４】
電気光学装置において、
複数の走査線と、
複数のデータ線と、
前記走査線と前記データ線との交差に対応して配置された複数の画素と、
前記走査線に走査信号を出力することにより、データの書込対象となる画素に対応する前記走査線を選択するとともに、前記走査信号と同期したパルス信号を出力する走査線駆動回路と、
前記走査線駆動回路と協働し、前記書込対象となる画素に対応する前記データ線にデータ電圧を出力するデータ線駆動回路とを有し、
前記画素のそれぞれは、
ソースまたはドレインの一方の端子が前記データ線に接続され、前記走査信号によって制御されるスイッチングトランジスタと、
前記スイッチングトランジスタの他方の端子に接続され、前記データ電圧に応じた電荷を蓄積するキャパシタと、
ゲートが前記スイッチングトランジスタの前記他方の端子と前記キャパシタとに共通接続され、前記キャパシタに蓄積された電荷に応じて、駆動電流を設定する駆動トランジスタと、
前記駆動電流に応じた輝度で発光する電気光学素子と、
前記書込対象となる画素に対応する前記走査線が選択されてから、当該走査線が次に選択されるまでの期間において、前記パルス信号の導通制御によって、前記駆動電流の電流経路の遮断を繰り返す制御トランジスタと
を有することを特徴とする電気光学装置。
【請求項１５】
前記制御トランジスタは、前記書込対象となる画素に対応する前記走査線が選択されてから、当該走査線が次に選択されるまでの期間のうち、前半の期間において、前記駆動電流の電流経路を遮断し続けるとともに、前記前半の期間に続く後半の期間において、前記駆動電流の電流経路の遮断を繰り返すことを特徴とする請求項１４に記載された電気光学装置。
【請求項１６】
電気光学装置において、
複数の走査線と、
複数のデータ線と、
前記走査線と前記データ線との交差に対応して配置された複数の画素と、
前記走査線に第１の走査信号を出力することにより、データの書込対象となる画素に対応する前記走査線を選択するとともに、前記第１の走査信号と同期した第２の走査信号と、前記第１の走査信号と同期したパルス信号とを出力する走査線駆動回路と、
前記走査線駆動回路と協働し、前記書込対象となる画素に対応する前記データ線にデータ電圧を出力するデータ線駆動回路とを有し、
前記画素のそれぞれは、
ソースまたはドレインの一方の端子が前記データ線に接続され、前記第１の走査信号によって制御される第１のスイッチングトランジスタと、
一方の電極が前記第１のスイッチングトランジスタの他方の端子に接続された第１のキャパシタと、
一方の電極に電源電位が印加された第２のキャパシタと、
ソースまたはドレインの一方の端子が前記第１のキャパシタの前記他方の電極と前記第２のキャパシタの前記他方の電極とに共通接続され、前記第２の走査信号によって制御される第２のスイッチングトランジスタと、
ゲートが前記第２のスイッチングトランジスタの前記一方の端子と前記第１のキャパシタの前記他方の端子と前記第２のキャパシタの前記他方の端子とに共通接続され、ソースに前記第２のキャパシタの前記一方の電極が接続され、ドレインに前記第２のスイッチングトランジスタの他方の端子が接続され、前記データ電流に応じた電荷を前記第２のキャパシタに蓄積させるとともに、前記第２のキャパシタに蓄積された電荷に応じて、駆動電流を設定する駆動トランジスタと、  前記駆動電流に応じた輝度で発光する電気光学素子と、
前記書込対象となる画素に対応する前記走査線が選択されてから、当該走査線が次に選択されるまでの期間において、前記パルス信号の導通制御によって、前記駆動電流の電流経路の遮断を繰り返す制御トランジスタと
を有することを特徴とする電気光学装置。
【請求項１７】
前記制御トランジスタは、前記書込対象となる画素に対応する前記走査線が選択されてから、当該走査線が次に選択されるまでの期間のうち、駆動期間において、前記駆動電流の電流経路の遮断を繰り返し、前記駆動期間を除く期間において、前記駆動電流の電流経路を遮断し続けることを特徴とする請求項１６に記載された電気光学装置。
【請求項１８】
請求項１から１７のいずれかに記載された電気光学装置を実装したことを特徴とする電子機器。
【請求項１９】
走査線とデータ線との交差に対応して配置された複数の画素と、前記走査線に走査信号を出力することにより、データの書込対象となる画素に対応する前記走査線を選択する走査線駆動回路と、前記走査線駆動回路と協働し、前記書込対象となる画素に対応する前記データ線にデータを出力するデータ線駆動回路とを有する電気光学装置の駆動方法において、
前記書込対象となる画素に対応する前記データ線にデータを出力する第１のステップと、
前記書込対象となる前記画素が有する保持手段に、前記データ線を介して供給されたデータを保持することにより、データの書き込みを行う第２のステップと、
前記書込対象となる画素が有する駆動素子によって、前記保持手段に保持されたデータに応じた駆動電流を設定し、当該駆動電流を、駆動電流に応じた輝度で発光する電流駆動型の電気光学素子に供給する第３のステップと、
前記書込対象となる画素に対応する前記走査線が選択されてから、当該走査線が次に選択されるまでの期間において、前記駆動電流の電流経路の遮断を繰り返す第４のステップと
を有することを特徴とする電気光学装置の駆動方法。
【請求項２０】
走査線とデータ線との交差に対応して配置された複数の画素と、前記走査線に走査信号を出力することにより、データの書込対象となる画素に対応する前記走査線を選択する走査線駆動回路と、前記走査線駆動回路と協働し、前記書込対象となる画素に対応する前記データ線にデータを出力するデータ線駆動回路とを有する電気光学装置の駆動方法において、
前記書込対象となる画素に対応する前記データ線にデータを出力する第１のステップと、
前記書込対象となる前記画素が有するキャパシタに、前記データ線を介して供給されたデータに応じた電荷を蓄積することにより、データの書き込みを行う第２のステップと、
前記書込対象となる画素が有する駆動トランジスタによって、キャパシタに蓄積された電荷に応じた駆動電流を設定し、当該駆動電流を、駆動電流に応じた輝度で発光する電気光学素子に供給する第３のステップと、
前記書込対象となる画素に対応する前記走査線が選択されてから、当該走査線が次に選択されるまでの期間において、前記駆動電流の電流経路の遮断を繰り返す第４のステップと
を有することを特徴とする電気光学装置の駆動方法。
【請求項２１】
前記第１のステップは、前記データ線に対して、データ電流としてデータを出力するステップであり、
前記第２のステップにおいて、前記データ線に供給された前記データ電流が電圧に変換され、当該変換された電圧に応じて、前記キャパシタに対するデータの書き込みが行われることを特徴とする請求項２０に記載された電気光学装置の駆動方法。
【請求項２２】
前記第１のステップは、前記データ線に対して、データ電圧としてデータを出力するステップであり、
前記第２のステップにおいて、前記データ線に供給された前記データ電圧に応じて、前記キャパシタに対するデータの書き込みが行われることを特徴とする請求項２０に記載された電気光学装置の駆動方法。
【請求項２３】
前記第４のステップにおいて、前記駆動電流の電流経路の遮断の繰り返しは、前記書込対象となる画素に供給する前記走査信号と同期して行われることを特徴とする請求項２０から２２のいずれかに記載された電気光学装置の駆動方法。
【手続補正２】
【補正対象書類名】明細書
【補正対象項目名】００４１
【補正方法】変更
【補正の内容】
【００４１】
このように、本実施形態では、制御トランジスタＴ5の導通制御により、画素
２が選択されてから次に選択されるまでの期間ｔ0〜ｔ2において、駆動電流Ｉol
edの電流経路の遮断が繰り返される。このため、駆動期間ｔ1〜ｔ2において、有
機ＥＬ素子OLEDの発光と非発光とが複数回行われる。その結果、画素２の光学応
答をインパルス型に近づけることができる。また、この期間ｔ1〜ｔ2において、
有機ＥＬ素子OLEDが非発光となる期間（黒表示の期間）が分散されるため、表示
画像のちらつきの低減を図ることができる。その結果、表示品質の一層の向上を
図ることができる。それとともに、画素２の光学応答を改善することにより、動
画表示等における疑似輪郭の発生も有効に抑制可能となる。さらに、有機ＥＬ素子
OLEDの発光と非発光により、平均輝度が低下することになる。本実施形態では、
発光と非発光の時間バランスを制御することができるので、輝度のコントロールが
容易に可能となる。